(57)【要約】【課題】  簡単に製造でき、コイルの破断を確実に防止できる電磁変換機およびこの電磁変換機を備えた時計を提供すること。【解決手段】  電波受信用アンテナ２０のコイル枠２１には、断面略コ字形の凹状部２１１を形成され、この凹状部２１１には、アモルファス金属積層体で構成されるコア２２が収納される。コイル枠２１の直線状部２１Ａには、コイル２３が巻き回されている。コイル２３が直接コア２２に接触しないので、コア２２の鋭利な外縁によってコイル２３が断線するのを確実に防止できる。また、従来コア２２外周に被覆していた絶縁性フィルムが不要となるので、構造が簡単になるとともに、被覆作業を省略できるから、製造工程を簡略化できる。【選択図】  図３
2005265782.tif 000002
【特許請求の範囲】
【請求項１】
絶縁材料で構成されるとともに、少なくとも一部が開口される断面凹状の凹状部が形成されるコイル枠と、
前記凹状部に収納されるとともに、アモルファス金属で構成されるコアと、
前記コイル枠外周に巻き回されるコイルとを備えた
ことを特徴とする電磁変換機。
【請求項２】
請求項１に記載の電磁変換機において、
前記凹状部は、略コ字形に形成される
ことを特徴とする電磁変換機。
【請求項３】
請求項１または請求項２に記載の電磁変換機において、
前記コイル枠には、電気素子が実装された回路基板が固定されている
ことを特徴とする電磁変換機。
【請求項４】
請求項１から請求項３のいずれかに記載の電磁変換機において、
前記コイル枠の前記コイル両端に対応する位置には、前記コイル枠から突出するフランジ部が形成されている
ことを特徴とする電磁変換機。
【請求項５】
請求項１から請求項４のいずれかに記載の電磁変換機において、
前記コイル枠には、当該電磁変換機をねじ固定するための固定孔が複数形成されている
ことを特徴とする電磁変換機。
【請求項６】
請求項１から請求項５のいずれかに記載の電磁変換機を備え、
前記電磁変換機は、当該時計のムーブメント内部に配置され、
前記コイル枠の少なくとも一部は、前記ムーブメントの外形形状に沿って形成される
ことを特徴とする時計。
【請求項７】
請求項６に記載の時計において、
前記電磁変換機は、時刻情報が重畳された標準電波を受信する電波受信用アンテナである
ことを特徴とする時計。
【発明の詳細な説明】
【技術分野】
【０００１】
本発明は、電磁変換機およびこの電磁変換機を備えた時計に関する。
【背景技術】
【０００２】
時刻情報が重畳された標準電波を受信して表示時刻を修正する電波修正時計の電波受信用のアンテナや、ステッピングモータなどに使用される電磁変換機では、例えば積層されたアモルファス金属箔に絶縁性フィルムを巻き回してアモルファス金属積層体を被覆し、絶縁性フィルムの上からコイルを巻き回したものがある（例えば特許文献１参照）。通常アモルファス金属箔の外縁は、打ち抜き時に生じる反りやかえりによって鋭利となっているが、コイルが巻き回される部分は絶縁性フィルムで被覆されるため、アモルファス金属箔の外縁が直接コイルに接触することがなく、アモルファス金属箔によるコイルの破断、短絡を防止できる。
【０００３】
【特許文献１】特開２００３−１１０３４１号公報
【発明の開示】
【発明が解決しようとする課題】
【０００４】
しかしながら、このような構造の電磁変換機では、絶縁性フィルムの被覆によるコイルの破断を多少防止する効果があるものの、絶縁性フィルム自体がフィルム状で、柔らかい材料であるため、絶縁性フィルムの巻付力などによっては、アモルファス金属箔の鋭利な外縁が絶縁性フィルムを破断してしまうことが考えられる。したがって、絶縁性フィルムによる被覆ではコイルの保護が不十分となり、コイルの破断を確実に防止することができない。また、絶縁性フィルムの巻き付け作業においては、巻付力の調整管理をしなければならず、巻付作業が煩雑になるとともに、安定した巻付力を得ることが困難であるため、電磁変換機の歩留まりを向上させることができない。
【０００５】
本発明の目的は、簡単に製造でき、コイルの破断を確実に防止できる電磁変換機およびこの電磁変換機を備えた時計を提供することにある。
【課題を解決するための手段】
【０００６】
本発明の電磁変換機は、絶縁材料で構成されるとともに、少なくとも一部が開口される断面凹状の凹状部が形成されるコイル枠と、凹状部に収納されるとともに、アモルファス金属で構成されるコアと、コイル枠外周に巻き回されるコイルとを備えたことを特徴とする。
この発明によれば、アモルファス金属で構成されるコアがコイル枠の凹状部に収納され、コイルがコイル枠外周に巻き回されるので、コイルがアモルファス金属の鋭利な外縁に接触することがない。したがって、アモルファス金属のコア外縁によるコイルの破断防止が確実となる。この場合において、コイルがコイル枠外周に巻き回されているので、従来の絶縁性フィルムが不要となり、絶縁性フィルムの巻き付け作業も不要となるので、巻付力の調整管理も不要となり、電磁変換機の製造工程が簡便となるとともに、歩留まりが向上する。
また、凹状部が、少なくとも一部が開口される断面凹状に形成されているので、凹状部の開口部分からコアを容易に収納でき、電磁変換機の製造作業が簡便となる。
【０００７】
本発明では、凹状部は、略コ字形に形成されることが望ましい。
この発明によれば、コイル枠の凹状部が略コ字形に形成されているので、凹状部の形成が容易となる。また凹状部が略コ字形に形成されることにより、開口部分を大きく形成することが可能となるため、凹状部へのコアの収納が容易となり、製造工程が簡略化する。
【０００８】
本発明では、コイル枠には、電気素子が実装された回路基板が固定されていることが望ましい。
この発明によれば、コイル枠に回路基板が固定されているので、コイル枠上のスペースが有効に活用され、スペース効率が向上する。これは例えばこの電磁変換機を時計の電波受信用のアンテナに適用する場合では、小さい時計内のスペースにコイル枠および回路基板を収納しなければならないが、このような場合でも、コイル枠上に回路基板が固定され、回路基板に電気素子が実装されるので、スペース効率が向上し、時計の小型化が促進される。
また、例えば電磁変換機が電波受信用のアンテナに適用された場合では、コイル枠上に電気素子が実装された回路基板が固定されているので、回路基板分のスペースにもコアを配置することが可能となる。通常アンテナではコアが長いほど電波の受信感度が良好となるので、時計を大型化することなく電磁変換機の性能向上が可能となる。
【０００９】
本発明では、コイル枠のコイル両端に対応する位置には、コイル枠から突出するフランジ部が形成されていることが望ましい。
この発明によれば、コイル枠にフランジ部が形成されているので、これらフランジ部の間のコイル枠にコイルを巻き回すと、フランジ部がコイルの巻きくずれ防止の機能を果たす。したがって、巻き回し作業が簡単かつ確実となる。また、コイル枠に所定巻き数のコイルが簡単に巻き回されるので、所定のコイル長が確保され、電磁変換機の性能が安定する。
【００１０】
本発明では、コイル枠には、当該電磁変換機をねじ固定するための固定孔が複数形成されていることが望ましい。
この発明によれば、コイル枠に固定孔が設けられているので、アモルファス金属のコアに接触することなく電磁変換機をねじ固定することが可能となり、電磁変換機の固定が確実となる。すなわち、従来のコイル枠を有しない電磁変換機の構造では、コアを直接ねじ止めすることができないため、別部材でコアを両側から挟持し、別部材をねじ固定するなどの方法が採用されていた。しかし、このような方法では、固定のために別部材を必要とするため、部品点数増加するとともに構造が複雑となり、またコアを挟持するのみの構造であるため、電磁変換機の固定が不確実であった。これに対して、本発明によれば、このような不具合が解消され固定が確実となるとともに、振動や衝撃にも強くなる。
【００１１】
本発明の時計は、前述の電磁変換機を備え、電磁変換機は、当該時計のムーブメント内部に配置され、コイル枠の少なくとも一部は、ムーブメントの外形形状に沿って形成されることを特徴とする。
この発明によれば、時計が前述の電磁変換機を備えているので、前述の電磁変換機の効果と同様の効果が得られ、簡単な製造工程で製造可能となり、コイルの破断防止が確実となる。
また、コイル枠の少なくとも一部がムーブメントの外形形状に沿って形成されているので、電磁変換機をムーブメントの外形形状に沿って配置することが可能となり、ムーブメント内のスペース効率が向上する。したがって、時計の小型化が促進される。また反対に、同じスペースにアモルファス金属のコアをより長く形成することが可能となるので、時計の大型化となることなく、電磁変換機の性能が向上する。
【００１２】
本発明では、電磁変換機は、時刻情報が重畳された標準電波を受信する電波受信用アンテナであることが望ましい。
この発明によれば、電磁変換機が電波受信用アンテナであるので、ムーブメントの外形形状に沿って配置されることでコアがより長くなり、受信感度が向上する。また、これにより、良好な受信感度を確保しながら、時計の小型化が促進される。
【発明の効果】
【００１３】
本発明の電磁変換機および時計によれば、従来必要であった絶縁性フィルムを省略でき、簡単に製造でき、コイルの断線を確実に防止できるという効果が得られる。
【発明を実施するための最良の形態】
【００１４】
以下、本発明の各実施形態を図面に基づいて説明する。
図１は、本発明の一実施形態にかかる時計１のムーブメント１０を示す斜視図である。また、図２は、ムーブメント１０を示す平面図である。本実施形態において、時計１は、時刻情報が重畳された標準電波を受信して表示時刻を修正する電波修正時計である。図１および図２において、ムーブメント１０は、時計１の図示しないケース内に収納され、時計１を駆動する構成部品が地板１１上に配置されている。地板１１には、秒針、分針、および時針で構成される指針（図示せず）、これらの指針を駆動する二つのステッピングモータ１２（１２Ａ，１２Ｂ）、これらのステッピングモータ１２（１２Ａ，１２Ｂ）の回転運動を指針に伝達する図示しない輪列、駆動源としての電池１３、時計１の動作を制御する制御手段としてのＣＰＵ１４などが実装された回路ブロック１５、標準電波を受信する電磁変換機としての電波受信用アンテナ２０等が配置されている。また、時計１の３時方向には、指針位置の手動調整用の巻真１６が設けられている。
【００１５】
ステッピングモータ１２は、秒針用のステッピングモータ１２Ａと、分針および時針用のステッピングモータ１２Ｂとを備えている。ステッピングモータ１２Ａは時計１の略８時方向に、ステッピングモータ１２Ｂは時計１の略５時方向にそれぞれ配設されている。これらのステッピングモータ１２Ａ，１２Ｂは、それぞれ独立した輪列を介してムーブメント１０中央の指針に接続されており、このため、秒針と、分針および時針とは、それぞれ独立して別々に駆動可能となっている。
電池１３（一次電池でもよいし二次電池でもよい）は、時計１の略１時から略２時方向に配設されており、ばね性を有する電池押さえ１３１によって導通が図られると同時に地板１１に保持されている。
【００１６】
回路ブロック１５は、基準クロックを発振する計時用の水晶振動子１５１と、前述のＣＰＵ１４と、標準電波の信号のみを通過させるバンドパスフィルタ用水晶振動子（図示せず）と、電波受信用アンテナ２０で受信した標準電波を処理する受信用ＩＣ（受信用回路）１７等とを備えて構成されている。回路ブロック１５は、回路押さえ１５２と地板１１との間に挟持され、ねじ固定されることによって地板１１に固定されている。
計時用の水晶振動子１５１は、時計１の略３時方向に配設されている。また、バンドパスフィルタ用水晶振動子は、例えば日本国内では、６０ｋＨｚの標準電波をフィルタするための水晶振動子と、４０ｋＨｚの標準電波をフィルタするための水晶振動子との二つが設けられる。また、例えば欧米では、６０ｋＨｚ用の水晶振動子および７７．５ｋＨｚ用の水晶振動子を用いればよい。
ＣＰＵ１４は、時計１の略９時から１１時方向に配設されており、水晶振動子１５１からの周波数を分周して基準クロックを生成する分周回路や、基準クロックをカウントして時刻を計時する計時回路や、計時回路からの信号に基づいてステッピングモータ１２Ａ，１２Ｂを制御する制御回路などを備えて構成されている。
受信用ＩＣ１７は、電波受信用アンテナ２０で受信した標準電波を復調する復調回路や、受信信号を増幅する増幅回路などを備えて構成されている。
【００１７】
電波受信用アンテナ２０は、ムーブメント１０内に配置され、時計１の略９時方向に配設されており、略７時方向から略１２時方向のスペースを占めている。ここで、電波受信用アンテナ２０は、ムーブメント１０内で電池１３とは離れた位置に配置されている。これにより、電波受信用アンテナ２０が標準電波を受信する際に、電池１３の金属外缶（例えばＳＵＳ３０４を使用）が標準電波受信に及ぼす影響を最小限に抑制している。また、ムーブメント１０内において電波受信用アンテナ２０と受信用ＩＣ１７とが近接して配置されているので、電波受信用アンテナ２０から受信用ＩＣ１７への受信信号が流れる際に、信号の劣化およびノイズの混入が少なく、受信用ＩＣ１７での良好な信号受信が行われる。なお、ＣＰＵ１４およびステッピングモータ１２Ａは、電波受信用アンテナ２０に干渉しない範囲で、電波受信用アンテナ２０よりも内側（中央側）に配置されている。
ここで、電波受信用アンテナ２０、ＣＰＵ１４、およびステッピングモータ１２Ａの上部（裏蓋側の面）は、標準電波の受信感度を向上させるために、金属板等の導電性材料で覆われていないことが望ましい。そして、電波受信用アンテナ２０、ＣＰＵ１４、およびステッピングモータ１２Ａが地板１１に載置される箇所における地板１１の材質についても、標準電波の受信感度を向上させるために、合成樹脂やセラミックス等の非導電性材料で構成されていることが望ましい。
図３には、電波受信用アンテナ２０の平面図が、また図４には電波受信用アンテナ２０の側断面図が示されている。これらの図３および図４に示されるように、電波受信用アンテナ２０は、凹状部２１１が形成されるコイル枠２１と、凹状部２１１に収納されるコア２２と、コイル枠２１に巻き回されるコイル２３とを備えている。
【００１８】
図５には、コイル枠２１の斜視図が示されている。この図５および前述の図３および図４に示されるように、コイル枠２１は、コイル２３が巻き回される直線状部２１Ａと、この直線状部２１Ａの両側に連続して形成される湾曲部２１Ｂとを備えている。湾曲部２１Ｂは、地板１１の外縁に沿って形成され、例えば地板１１の外形形状が円形の場合には略円弧状に、また地板１１の外形形状が楕円形の場合には略楕円曲線状に形成されている。ここで、前述の図２に示されるように、直線状部２１Ａは、時計１の略８時から略９時方向に配設されている。また、湾曲部２１Ｂは、ムーブメント１０の外形形状に沿って形成され配置され、湾曲部２１Ｂの一方は、時計１の略６時から略７時方向に、他方は略９時から略１１時方向に配設されている。なお、コイル枠２１は、液晶ポリマなどの合成樹脂など、絶縁性材料で構成されている。
コイル枠２１には、コイル枠２１の外形形状に沿って凹状部２１１が形成されている。すなわち、凹状部２１１には、直線状部２１Ａ部分に配置される直線状部２１１Ａと、湾曲部２１Ｂ部分に配置される湾曲部２１１Ｂとが連続して形成されている。
図６には、図３のVI-VI断面図が示されている。この図６にも示されるように、凹状部２１１は、断面略コ字形に形成され、この凹状部２１１の開口部は、地板１１に対向して配置される。
【００１９】
図３、図４、および図５に戻って、コイル枠２１の両端には、電波受信用アンテナ２０をムーブメント１０にねじ固定するための固定孔２１２が形成されている。これらの固定孔２１２の一方は、図１に示されるように、回路ブロック１５の端部とともに地板１１にねじ２５Ａで固定され、固定孔２１２の他方は、回路ブロック１５および回路押さえ１５２とともにねじ２５Ｂで固定されている。したがって、コイル枠２１の両端部の固定孔２１２部分は、回路ブロック１５に覆われており、時計１の平面視において重なる位置に配置されている。
また、湾曲部２１Ｂにおいて、地板１１に対向する面には、電波受信用アンテナ２０を地板１１に対して位置決めするための位置決め部２１２Ａ，２１２Ｂが形成されている。位置決め部２１２Ａ，２１２Ｂは、一方の位置決め部２１２Ａが孔となっており、他方の位置決め部２１２Ｂは突起となっている。一方、地板１１において、これらの位置決め部２１２Ａ，２１２Ｂに対応する位置には、それぞれピンおよび凹状部が形成されており、これらの位置決め部２１２Ａ，２１２Ｂがピンおよび凹状部に係合することにより、電波受信用アンテナ２０が地板１１に対して位置決めされるようになっている。
【００２０】
コイル枠２１において、コイル２３両側には、フランジ部２１３が形成されている。
図７には、図３のVII-VII断面図が示されている。この図７に示されるように、フランジ部２１３は、直線状部２１Ａの四辺からそれぞれ突出するように形成され、その突出量は、コイル２３の厚みよりも大きく設定されている。また、フランジ部２１３において凹状部２１１の開口部分に対応する部分は、当該開口部分の両側にそれぞれ突出するように形成されている。フランジ部２１３がコイル２３の厚みよりも大きく設定されているので、コイル２３は、このフランジ部２１３でせき止められて、湾曲部２１Ｂには巻かれない。
【００２１】
図８には、図３のVIII-VIII断面図が示されている。この図８、前述の図３および図４に示されるように、コイル枠２１において、受信用ＩＣ１７に近い側の湾曲部２１Ｂには、地板１１に対向する面とは反対側に回路基板２４が固定されている。コイル枠２１の回路基板２４に対向する面には、複数（図３では二つ）の突起２１４が形成されており、これらの突起２１４に回路基板２４の位置決め孔が係合されることによって回路基板２４がコイル枠２１に対して位置決めされる。この回路基板２４は、湾曲部２１Ｂの形状に沿って湾曲して形成され、コイル枠２１の平面にエポキシ樹脂系の接着剤により接着されて固定されている。回路基板２４上には、導通パターンが形成されており、この回路基板２４上でコア２２と平面的に重なる位置には、電波受信用アンテナ２０の同調周波数調整用の電気素子としてのコンデンサ２４１が複数個実装されている。
【００２２】
図３に戻って、回路基板２４の端部には、コイル枠２１の固定孔２１２に一致する位置に、回路基板２４を固定するための固定孔２４２が形成されている。この固定孔２４２の周囲には、導通パターンの端子（図示せず）が形成されている。この回路基板２４は、回路ブロック１５とコイル枠２１との間に介装され、ねじ２５Ｂによって固定される。ここで、回路ブロック１５の回路基板２４と対向する位置（つまり固定孔２４２周囲）には、回路基板２４の端子と導通する端子が形成されている。したがって、回路ブロック１５および回路基板２４がコイル枠２１とともにねじ２５Ｂで固定されることにより、回路ブロック１５が回路基板２４に対向して接触し、回路基板２４と回路ブロック１５との導通が図られ、コンデンサ２４１が受信用ＩＣ１７に接続される。
また、回路基板２４において固定孔２４２とは反対側の端部には、コイル２３の先端がはんだ付けされ、導通パターンとの導通が図られている。
ここで、コイル枠２１の回路基板２４に対向する面には、コンデンサ２４１が配置される位置よりも固定孔２１２側に段差部２１５が形成されている。そして、この段差部２１５に沿って回路基板２４が地板１１に近接する方向に折曲または湾曲されている。これにより、回路ブロック１５がコイル枠２１（回路基板２４）に平面に重なっても、回路ブロック１５がコイル枠２１の厚み方向に突出せず、ムーブメント１０の厚みが厚くなるのが防止される。
【００２３】
コア２２は、図４、図６〜図８に示されるように、Ｃｏ系を主成分とするアモルファス金属の薄板で構成されるアモルファス金属薄板２２Ａを複数枚積層して構成されており、例えば厚み約１０μｍのアモルファス金属薄板２２Ａを３０〜４０枚程度積層して構成されている。コア２２は、コイル枠２１の凹状部２１１に沿った形状、つまり、コイル２３が巻き回される部分である直線状部２２Ｂと、この直線状部２２Ｂの両側に凹状部２１１に沿った平面略円弧状の湾曲部２２Ｃとを備えている。アモルファス金属薄板２２Ａは接着剤により互いに接着され、またコア２２は、凹状部２１１との隙間に充填された接着剤により凹状部２１１に固定されている。
【００２４】
コイル２３は、コイル枠２１の直線状部２１Ａに巻き回されている。コイル２３の線径、巻き数などは、コイル２３の材質や、電波受信用アンテナ２０の受信感度などを勘案して適宜設定される。なお、このコイル２３の表面には予め接着剤が被覆されており、ヒータにより熱風をあてながらコイル２３をコイル枠２１に巻き付ければ、コイルが互いに接着される。
【００２５】
このような時計１では、次のように動作する。
計時用の水晶振動子１５１に電圧が印加された際に出力される発振信号がＣＰＵ１４の分周回路で分周されて基準信号が生成され、この基準信号を元にＣＰＵ１４内の計時回路で時刻が計時されるとともに、ステッピングモータ１２Ａ，１２Ｂが駆動される。ステッピングモータ１２Ａ，１２Ｂの回転運動は、輪列を介してそれぞれ秒針、分針、および時針に伝達され、これらの指針が回動することにより時計１の文字板上で時刻が表示される。
電波受信用アンテナ２０によって時刻情報を載せた標準電波を受信すると、受信用ＩＣ１７が標準電波から時刻情報を取り出してＣＰＵ１４に出力する。ＣＰＵ１４は、この時刻情報に基づいて計時回路で計時される時刻を修正し、ステッピングモータ１２Ａ，１２Ｂを駆動して指針の表示時刻を修正する。
【００２６】
このような実施形態によれば、次のような効果が得られる。
(１) コア２２がアモルファス金属薄板２２Ａを積層して構成され、コイル枠２１の凹状部２１１に収納されているので、アモルファス金属薄板２２Ａを形成する際に生じる外縁の鋭利な反りやかえりなどがコイル２３に接触せず、コイル２３の断線を確実に防止できる。したがって、コイル２３の巻き回し作業中にコイル２３が断線するなどの不具合を解消でき、巻き回し作業を簡略化でき、歩留まりを向上させることができる。また、時計１の使用中の振動や衝撃などによるコイル２３の断線を防止できるので、時計１の信頼性を向上させることができる。
また、従来コイル２３の断線を防止するために、アモルファス金属積層体を絶縁性フィルムで被覆していた場合に比べて、絶縁性フィルムを不要にできるので、電波受信用アンテナ２０の構造を簡単にできるとともに、絶縁性フィルムの被覆作業も不要となるため、製造工程を簡略化できる。さらに、コイル枠２１の凹状部２１１が断面コ字形に形成されているので、凹状部２１１の開口部分からアモルファス金属薄板２２Ａを収納すればよく、収納作業を簡単にできるとともに、アモルファス金属薄板２２Ａ同士の凹状部２１１内での固定を簡単にできる。
そして、コア２２がアモルファス金属で構成されているので、フェライトやその他の材料に比べて、電波受信用アンテナ２０の受信感度を向上させることができる。
【００２７】
(２) コイル枠２１フランジ部２１３が設けられているので、コイル２３をコイル枠２１に巻き回す作業を行う際に、コイル２３が巻きほどけて湾曲部２１Ｂに移動してしまうのを確実に防止できる。したがって簡単な作業でコイル２３を巻き回すことができる。また、フランジ部２１３によってコイル２３の巻きほどけを防止できるので、コイル２３を良好に所定範囲に巻き回すことができ、所望の巻き数およびコイル長を簡単に確保できる。したがって、電波受信用アンテナ２０の受信感度のばらつきを抑制でき、安定した受信感度を実現できる。
【００２８】
(３) コンデンサ２４１が実装された回路基板２４が、コイル枠２１上に固定されているので、コイル枠２１のスペースを有効に活用できる。つまり、回路基板２４が配置される部分にもコイル枠２１およびコア２２を形成できるので、コア２２をより長く形成でき、電波受信用アンテナ２０の受信感度を高めることができる。また反対に、ムーブメント１０内の省スペース化を促進できるので、時計の１の小型化を促進できる。
【００２９】
(４) コイル枠２１が固定孔２１２を備えているので、ねじ２５Ａ，２５Ｂにより電波受信用アンテナ２０を地板１１に固定できる。したがって、従来回路基板や輪列受けなどで電波受信用アンテナを挟持していた構造に比べて、電波受信用アンテナ２０を安定して確実に固定でき、電波受信用アンテナ２０の耐衝撃性を向上させることができる。
【００３０】
(５) 電波受信用アンテナ２０がムーブメント１０内に配置されているので、時計１の外部に電波受信用アンテナ２０が突出せず、時計１の外観を向上させることができる。また、電波受信用アンテナ２０の湾曲部２１Ｂがムーブメント１０の外形形状に沿って形成されているので、スペース効率を高めながら、コア２２の長さを確保することができ、受信感度を確保しながら、省スペース化、小型化を促進できる。
また、コイル枠２１が絶縁材料で構成されているので、外胴や文字板、裏蓋等の外装部品にＳＵＳ、黄銅、チタン合金等の金属材料を使用する場合には、受信感度を確保するために電波受信用アンテナ２０と外装部品との間に適切な空隙（間合い）をとるための材料として活用することができる。ここで、外装部品に金属材料を使用する場合としては、外装部品全体を単一の金属材料で構成する場合はもちろん、その他例えば合成樹脂やセラミックス等の非導電性材料の表面に、めっき、スパッタリング、蒸着等によって金属材料を被覆する場合なども含まれる。
【００３１】
(６) コア２２がコイル枠２１に収納されているので、時計１の外部から衝撃が加わった場合に、コイル枠２１がコア２２を保護する緩衝材の役割を果たすことができる。これにより、コア２２に磁気的なひずみが発生しにくくなる。
また、コイル枠２１を地板１１に載置する際、コア２２はコイル枠２１に収納されているので、直接コア２２をピンセット等で把持する必要がなく、コア２２の取扱性を向上させることができるとともに、これによってもコア２２に磁気的なひずみが発生しにくくなる。その結果、例えばこの電波受信用アンテナ２０の構造を時計用ステッピングモータに適用した場合には、磁気的な歪みが発生しにくくなるから、消費電力を削減することができる。
【００３２】
なお、本発明は前述の実施形態に限定されるものではなく、本発明の目的を達成できる範囲での変形、改良等は本発明に含まれるものである。
電波受信用アンテナは、コイルが巻かれている部分が直線状で、その両側が湾曲状に形成されているものに限らず、例えば全体が略円弧状に湾曲した形状となっていてもよい。あるいは、コイルが巻かれている部分両側のうち、片側のみが湾曲した形状となっていてもよい。これらの場合でも、電波受信用アンテナが時計のムーブメントに沿って配置されれば、スペース効率を向上させることができる。
要するに、電波受信用アンテナは、少なくとも一部が時計のムーブメントの外形形状に沿った形状となっていればよい。
【００３３】
電磁変換機は、電波受信用アンテナに限らず、例えば時計の指針駆動用のステッピングモータのコイルおよびコイルコアとして使用してもよい。
また、電磁変換機は、時計に限らず、電波受信や駆動源として、任意の機器に適用できる。
【００３４】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の一実施形態にかかる時計の全体を示す斜視図。
【図２】時計の全体を示す平面図。
【図３】電波受信用アンテナを示す平面図。
【図４】電波受信用アンテナを示す側断面図。
【図５】電波受信用アンテナのコイル枠を示す斜視図。
【図６】図３のVI-VI断面図。
【図７】図３のVII-VII断面図。
【図８】図３のVIII-VIII断面図。
【符号の説明】
【００３６】
１…時計、１０…ムーブメント、１１…地板、１２，１２Ａ，１２Ｂ…ステッピングモータ、１３…電池、１４…ＣＰＵ、１７…受信用ＩＣ、２０…電波受信用アンテナ（電磁変換機）、２１…コイル枠、２２…コア、２３…コイル、２４…回路基板、２１１…凹状部、２１２…固定孔、２１３…フランジ部、２４１…コンデンサ（電気素子）。
【図１】
2005265782.tif 000003
【図２】
2005265782.tif 000004
【図３】
2005265782.tif 000005
【図４】
2005265782.tif 000006
【図５】
2005265782.tif 000007
【図６】
2005265782.tif 000008
【図７】
2005265782.tif 000009
【図８】
2005265782.tif 000010